(57)【要約】削岩機（１）のフラッシングヘッド（３）用の装置に関わり、かかる装置は、マシンハウジング（２）と、シリンダ（１８）内部に軸アダプタ（１５）に対し衝撃作用を及ぼすために配置された往復運可能な衝撃ピストン（１７）とを包含し、軸アダプタが、対称軸線（１９）及び軸アダプタ（１５）を包囲するフラッシングヘッド（３）にフラッシング媒体室（２４）と共動するためのフラッシング媒体チャネル（２２，２３）を有し、前記フラッシングヘッド（３）がフラッシングホース（１０）に接続するための接続ユニット（７）を備える。フラッシングヘッド（３）及びマシンハウジング（２）は、共動する緊締手段及び緊締要素（６）をフラッシング媒体ホース（１０）によって接続ユニット（７）に発揮される張力（Ｆ）の力の方向と一直線上に備え、マシンハウジング（２）に対して前記対称軸（１９）と垂直な方向にフラッシングヘッド（３）の可動性を許容する。本発明はそのような装置を包含する削岩機にも関わる。【選択図】図２
2015536251.tif 000002
【特許請求の範囲】
【請求項１】
マシンハウジング（２）と、シリンダ（１８）内部に軸アダプタ（１５）に対し衝撃作用を及ぼすために配置された往復動可能な衝撃ピストン（１７）とを包含し、軸アダプタが対称軸線（１９）及び軸アダプタ（１５）を包囲するフラッシングヘッド（３）におけるフラッシング媒体室（２４）と共動するフラッシング媒体通路（２２，２３）を有し、前記フラッシングヘッド（３）がフラッシングホース（１０）に接続するための接続ユニット（７）を備える削岩機（１）のフラッシングヘッド（３）用の装置において、
・フラッシングヘッド（３）及びマシンハウジング（２）が、共動する緊締手段及び緊締要素（６）を備え、
・前記共動する緊締手段及び緊締要素（６）が、削岩機（１）の稼働中にフラッシング媒体ホース（１０）によって接続ユニット（７）に作用する張力（Ｆ）の力の方向と本質的に一直線に配置され、また、
・前記共動する緊締手段及び緊締要素（６）が、相対的に移動可能であり、それによってマシンハウジング（２）に対してフラッシングヘッド（３）が対称軸線（１９）に垂直な方向に移動できること
を特徴とする装置。
【請求項２】
前記力の方向が、接続ユニット（７）においてフラッシング媒体ホース（１０）の長手方向軸線（Ａ）と一直線であること
を特徴とする請求項１に記載の装置。
【請求項３】
力の方向が、本質的に前記対称軸線（１９）と平行であること
を特徴とする請求項１又は請求項２に記載の装置。
【請求項４】
マシンハウジング（２）が、マシンハウジング（２）の正面部（２’）の領域にフラッシングヘッドのための空洞（１６）を有すること
を特徴とする請求項１〜請求項３の何れか一項に記載の装置。
【請求項５】
前記緊締要素が、ピン軸線（２０）を有するピン手段（２６）を備え、また前記緊締手段が、ピン手段（２６）を包囲してシート軸線（２１）を有するシート（１２）を備えること
を特徴とする請求項１〜請求項４の何れか一項に記載の装置。
【請求項６】
前記ピン軸（２０）及びシート軸（２１）が、本質的に前記対称軸線（１９）に対して直角を成すこと
を特徴とする請求項５に記載の装置。
【請求項７】
前記共動する緊締手段及び緊締要素（６）のうちの一方が、フラッシングヘッド（３）に緊締され、前記共動する緊締手段及び緊締要素（６）のうちのもう一方が、マシンハウジング（２）に緊締されていること
を特徴とする請求項１〜請求項６の何れか一項に記載の装置。
【請求項８】
前記共動する緊締手段と緊締要素（６）との間に、弾性要素が配置されていることを特徴とする請求項１から７の何れか一項に記載の装置。
【請求項９】
弾性要素が弾性ブッシング（８）であること
を特徴とする請求項８に記載の装置。
【請求項１０】
フラッシングヘッドとマシンハウジングとの間に可動性をもたせるために、弾性ブッシングと前記共動する緊締手段及び緊締要素のうちの少なくとも一方との間に、遊びを設けていること
を特徴とする請求項９に記載の装置。
【請求項１１】
前記緊締要素及び緊締手段（３２、３３）が、弾性的に柔軟なリンク（３１）を介して相互に接続されていること
を特徴とする請求項１〜請求項４の何れか一項に記載の装置。
【請求項１２】
前記力の方向から距離を置いて配置されるフラッシングヘッドの内部を安定化するための構成（３７、３８、３９）によって補強され、
共動する手段が、一方では空洞内に他方ではフラッシングヘッドに配置され、また前記共動する手段が、対称軸線から見て半径方向にフラッシングヘッドを動かすが軸方向の動きを阻止するよう配置されていること
を特徴とする請求項４の従属する請求項１〜請求項３及び請求項５〜請求項１１の何れか一項に記載の装置。
【請求項１３】
前記共動する緊締手段及び／又は緊締要素が、前記力の方向に見られるように調整可能であること
を特徴とする請求項１〜請求項１２の何れか一項に記載の装置。
【請求項１４】
フラッシングヘッド（３）がフラッシング媒体室（２４）の両側に軸受ブッシング（５）及び軸アダプタ（１５）と共動するためのフラッシング密封装置（４）を備えていること
を特徴とする請求項１〜請求項１３の何れか一項に記載の装置。
【請求項１５】
マシンハウジング（２）及びシリンダ（１８）内部に往復運動自在な衝撃ピストン（１７）を有し、請求項１〜請求項１４の何れか一項に記載の装置を備えること
を特徴とする削岩機（１）。
【発明の詳細な説明】
【技術分野】
【０００１】
本発明は、マシンハウジングと、軸アダプタに対して衝撃作用を及ぼすようシリンダ内部に配置された往復運動自在な衝撃ピストンとを備えていて、軸アダプタがフラッシングホースに接続するための接続ユニットを設けたフラッシングヘッドと共動する削岩機のフラッシングヘッド用の装置に関するものである。本発明はまた、そのような装置を備える削岩機に関する。
【背景技術】
【０００２】
削岩中、ドリルストリングのフラッシング溝にフラッシング媒体を導入するためには、例えば爆破孔を穿孔するための削岩機にフラッシング流体源に接続されるフラッシングヘッドを設けることは従来公知である。フラッシングヘッドは、ブッシング及び密封装置を介して軸アダプタに接続し、動作中軸アダプタが回転し、しかもフラッシングヘッドに対して制限された軸方向動作を行うことができる。
【０００３】
そのような構成の種々の変形例は従来公知であり、１つの解決策では、穿孔機のマシンハウジングに装着され固定されるフラッシングヘッドを配置しており、また別の解決策では、軸アダプタの半径方向の動きに適合するように浮遊して支持されるフラッシングヘッドを位置決めしている。
【０００４】
削岩機の動作によってマシンハウジング内の軸アダプタとその軸受ブッシングとの間に比較的大きな摩耗の危険性を引き起こすので、このように増大した摩耗の結果として、軸アダプタの半径方向の動きは通常大きくなる。これによって、軸アダプタの半径方向の動きが増加するため、最初に言及した変形例のフラッシングヘッドが摩耗に晒され、フラッシング密封装置における漏出に繋がり、フラッシング媒体をマシンハウジング内に流出させることになる。
【０００５】
前記別の変形例では、特定の地点でフラッシングヘッドを軸アダプタと一緒に動かすことができることによって、ブッシングの摩耗が原因で軸アダプタの半径方向の動きによるフラッシングヘッドへの影響の問題点は低減される。しかし、従来公知の解決策は未だに摩耗の問題に晒され、比較的複雑でありしかも特別に製造された構成要素の使用を必要としている。
【０００６】
背景技術の例として米国特許第４，８５８，３９４号及び国際公開第ＷＯ２０１１／０８４０９３号を挙げることができる。
【発明の概要】
【発明が解決しようとする課題】
【０００７】
本発明の目的は、削岩機のフラッシングヘッドに関して信頼性が高くしかも経済的で実用可能である、前記の削岩機に関わる装置を提供することにある。
【課題を解決するための手段】
【０００８】
この目的は、フラッシングヘッド及びマシンハウジングが共動する緊締手段及び緊締要素を備え、削岩機の動作中、フラッシング媒体ホースによって接続ユニットに及ぼす張力の力の方向と本質的に一直線に前記共動する緊締手段及び緊締要素を設け、さらに、前記共動する緊締手段及び緊締要素が相対的に移動可能であり、それによって対称軸に垂直な方向にマシンハウジングに対してフラッシングヘッドが可動である、前記種類の装置によって達成される。
【０００９】
「フラッシング媒体ホースによって接続ユニットに及ぼす張力の力の方向と一直線に」は、本明細書ではこれらの張力を仮想的に延長した線を意図しており、この線は張力の方向にフラッシングヘッドと係合する地点を通って伸びている。このことは、通常、前記共動する緊締手段及び緊締要素が、削岩機の衝撃方向に見られるように、ホースがフラッシングヘッドに接続されている位置の前方に位置決めされることを意味している。
【発明の効果】
【００１０】
従って、フラッシング媒体源から引かれるフラッシング媒体ホースを直接フラッシングヘッドに接続することができ、洗浄ヘッドの位置及び／又は配列に影響を与えることなくフラッシング媒体ホース内に存在する張力を受けるための有効な手段をマシンハウジング内に直接配置することができるという利点が得られる。
【００１１】
従って、従来の浮遊吊下式フラッシングヘッドで発生する問題点は、その位置から特別な構成要素または特別に寸法決めされたホースやチューブ片を介してフラッシングヘッドに渡されるため、フラッシング媒体ホースがマシンハウジングまで種々の緊締手段に直接緊締されることで回避される。
【００１２】
本発明はまた、衝撃方向に見られるように、マシンハウジングの中央または後部から横方向に延びる特定の構成要素を回避できるので空間を節約する解決策が可能である。
【００１３】
さもなければ、そのような構成要素はホース取り付け手段の形状で他の装置と干渉するリスクがあり、そのために削岩機の近くに空間を必要とすることになる。
【００１４】
さらに、本発明の解決策は、フラッシング媒体ホースをマシンハウジングの全長に沿って自由にすることができるので、フラッシング媒体ホースに緊締装置からの妨害なしにほとんど抵抗なしにフラッシングヘッドを軸アダプタの半径方向の動きに追従させる可能性を保証する。
【００１５】
これによりフラッシングヘッドの領域でホースの動きに大きな自由度が許され、それによってフラッシング媒体ホースがフラッシングヘッドの近くに緊締されるので、不規則な負荷に制限がかかることになる。
【００１６】
該装置は、前記共動する緊締手段及び緊締要素が接続ユニットでフラッシング媒体ホースの長手軸と一直線で配置され、しかも前記力の方向に沿って一直線であるよう構成されるのが好ましい。特に、かかる構成は、力の方向が本質的に前記対称軸に平行であるようされるのが好ましい。これは、本発明の装置がかかる構成のために事前に力の分析を必要とせず論理的に生産可能であるという結果をもたらす。
【００１７】
好ましくは、マシンハウジングはマシンハウジングの正面部分の領域にフラッシングヘッドのための空洞を有し、よってフラッシングヘッドは前記空洞の内部である程度外部の影響から保護される。
【００１８】
好ましくは、前記緊締要素はピン軸を有するピン手段を備えており、また前記緊締手段はピン手段を包囲しかつシート軸を有するシートを備えている。特に、ピン軸とシート軸とは、少なくとも装置が作動していない時には前記対称軸に対して本質的に直角を形成するのが好ましく、そして本質的には直角を成すのが好ましい。
【００１９】
好ましくは、前記共動する緊締手段及び緊締要素のうちの一方はフラッシングヘッドに緊締され、前記共動する緊締手段及び緊締要素のうちのもう一方はマシンハウジングに緊締されている。適切には、フラッシングヘッドは一体的な緊締手段或いは緊締要素と共に形成されるが、前記緊締手段或いは緊締要素は例えばネジ部品を用いてマシンハウジングに取外し可能に緊締されている。
【００２０】
好ましくは、細部間に可撓性のある可動性を得るために、前記共動する緊締手段及び緊締要素との間に弾性要素が設けられる。この要素は異なる種類のバネ装置であっても良いが、好ましくは、弾性ブッシングである。そのようなブッシングは適当なゴム或いはゴム状の素材から適切に製造される。
【００２１】
好ましくは、フラッシングヘッドとマシンハウジングとの間の可動性を可能にするために、弾性ブッシングと前記共動する緊締手段及び緊締要素のうちの一方との間に遊びが設けられる。前記共動する緊締手段及び緊締要素のうちの一方に或いはそれら両者に対して、弾性ブッシングは遊びをもって非常に良好に構成できる。
【００２２】
前記緊締要素と緊締手段は、力の方向に沿って延びる弾性的に柔軟なリンクを介して相互に接続されて構成することが可能である。
【００２３】
さらに、フラッシングヘッドの動きを制御するためには、フラッシングヘッドの内部を安定させる構成で補強されるのが適切である。これは、共動する手段が一方でフラッシングヘッドに他方で空洞に設けられるようにして実現することができる。そうすることによって、これらの手段は、対称軸から見て、フラッシングヘッドの半径方向への動きを許容すれども軸方向への動きは阻止するように構成されている。
【００２４】
前記した力の方向に見られるように、例えば関連する細部やその他の摩耗を補償するために、前記共動する緊締手段及び／又は緊締要素の位置は調節可能であるのが適当である。
【００２５】
フラッシングヘッドは適当には、フラッシング媒体室の両側に、軸受ブッシング及び軸アダプタと共動するためのフラッシング密封装置を有する種類のものである。
【００２６】
本発明はまた、マシンハウジングと、前記による装置を包含する、シリンダ内部における往復動自在な衝撃ピストンとを備える削岩機に関するものである。
【００２７】
以下、添付図面を参照して実施形態によって本発明を詳細に説明する。
【図面の簡単な説明】
【００２８】
【図１】本発明による装置を備えた削岩機を示す概略図。
【図２】図１の削岩機の正面部分の細部を示す部分拡大断面図。
【図３】第一の代りの削岩機の正面部分の細部を示す部分拡大断面図。
【図４】第二の代りの削岩機の正面部分の細部を示す部分拡大断面図。
【図４ａ】図４の一部分の拡大断面図。
【図５】第三の代りの削岩機の正面部分の細部を示す部分拡大断面図。
【図５ａ】図５の一部分の拡大断面図。
【発明を実施するための形態】
【００２９】
以下の詳細な説明では、同様の構成要素は、部分的に同じ参照符号で示される。
【００３０】
図１は、比較的狭い穿孔である発破孔を穿孔するのに適した削岩機１を示している。削岩機１はマシンハウジング２を有し、マシンハウジング２は衝撃ピストン１７を備え、衝撃ピストン１７は、シリンダ１８内部で動きそして軸アダプタ１５に対する衝撃作用を行う。軸アダプタ１５はブッシング１３の内部で通常のように可動であり、ドリルストリング（図示していない）のドリルストリング要素に接続可能であり、ドリルストリング要素の最遠端部にはドリルビットが支持される。
【００３１】
フラッシングの目的のために、削岩機１には、軸アダプタ１５と連通するフラッシングヘッド３が設けられ、前記フラッシングヘッド３は、（図示していない）フラッシング媒体源からフラッシングヘッド３を介して軸アダプタ１５の通路内にフラッシング媒体を運び、さらにドリルストリングを通り前記ドリルビットまでフラッシング媒体を運ぶために、フラッシング媒体ホース１０に接続される。
【００３２】
さらに、図１から明らかなように、フラッシングヘッド３はマシンハウジング２の正面部２’の空洞１６内に配置され、フラッシングヘッド３は通常の仕方で軸アダプタ１５を包囲し、さらに全体として参照番号６で示された共動する緊締手段及び緊締要素を介してフラッシングヘッド３は前記正面部２’に緊締されている。
【００３３】
図２の拡大断面図には、マシンハウジング２の正面部２’にある空洞１６内に配置されたフラッシングヘッド３を用いて本発明を詳細に示している。フラッシングヘッド３はフラッシング媒体室２４を備え、その両側には軸アダプタ１５に対して作用する軸受ブッシング５と、フラッシング密閉装置４とが設けられている。
【００３４】
フラッシングヘッド３は、接続ユニット７を介してフラッシングヘッドに導入されることになるフラッシング媒体を供給するためのフラッシング媒体ホース１０に接続され、接続ユニット７は、固定ナット９と共にフラッシング媒体ホース１０を受け止めて固定する。入ってくるフラッシング媒体は、接続ユニット７から導入チャネル２５を通ってフラッシング媒体室２４に供給される。フラッシング媒体は、そこからフラッシング媒体室２４のレベルで１つ以上の半径方向チャネル部２３を介して軸アダプタ１５の中央に配置されたフラッシング媒体通路２２へ送られる。
【００３５】
削岩機による削岩中、伸縮力或いは張力Ｆは、フラッシング媒体ホース１０の長手軸方向軸線Ａの方向における力の方向でフラッシング媒体ホース１０に作用する。この張力Ｆは、削岩機を支持するドリルリグ上に設けられる（図示していない）ホース張力付与手段から生じている。ホース張力付与手段は、とりわけフラッシング媒体ホース１０を限界まで引き伸ばすことによって、操作中フラッシング媒体ホース１０の過度の振動運動を防止することを意図している。
【００３６】
前記「フラッシング媒体ホース１０によって及ぼされる張力の力の方向に沿って」とは、この場合、フラッシング媒体ホース１０の前記長手方向軸線Ａに沿って、を意味する。
【００３７】
張力Ｆは、削岩機内部でフラッシングヘッド３の配列及び位置に潜在的に影響することが有り得る大きさの力である。従って、本発明によれば、前記共動する緊締手段及び緊締要素６はこの張力Ｆを受けるために設けられている。
【００３８】
前記共動する緊締手段及び緊締要素６は、フラッシングヘッド３の上及びマシンハウジング２の正面部２’の上にそれぞれ手段を設けている。図２では、一構成の実施形態を示しており、フラッシングヘッド３の上に突出ピン手段２６が設けられ、このピン手段２６は円筒形の軸受面を有し、そして本質的に直角を成して軸アダプタ１５の対称軸線１９と交差するピン軸線２０を有する。
【００３９】
さらに、正面部２’はピン手段２６を受けるためのシート１２を備え、前記シートはシート軸線２１を備えた円筒状の内部軸受面を有している、同様にシート軸線２１は本質的に垂直で対称軸１９と公差する。
【００４０】
理論的には、軸ピン２０はシート軸線２１と同一であるが、実際には弾力性、意図的な遊び及び摩耗によって横方向の位置だけでなくこの軸線間の平行度に僅かな偏向が存在する。
【００４１】
シート１２は、前記円筒形の軸受面に設けられた突出部に形成されている。前記突出部は、衝撃方向Ｒで見られるように、（接続ユニット７の領域にある）フラッシング媒体ホースの長手方向軸線Ａを仮想的に延長した前方に位置決めされている正面部２’の一部から延びていて、長手方向軸線Ａに沿って前記張力Ｆは有効である。
【００４２】
従って、ピン手段２６の前記軸受面の中央部分と同様にシート１２の前記軸受面の中央部分は、張力Ｆの作用線の継続がシート上と同様にピン手段にも本質的に中央に作用するように本質的に前記長手方向軸線Ａと一致して配置されている。よって、前記張力Ｆは、フラッシングヘッド３の位置及び配列に影響することなく、前記共動する緊締手段及び緊締要素６を介してマシンハウジングによって有効に受け止められることになる。
【００４３】
図示された実施形態では、例えばゴム素材の弾性ブッシング８はシート２に設けられ、ピン手段２６を包囲している。このブッシングはピン手段２６とシート１２との間の動きを可能にする。
【００４４】
さらに、軸アダプタが半径方向の動きに及ぶことが期待できる場合、装置の動作中、フラッシングヘッドと正面部２’との間の動きに対する抵抗を最小限にするために、シート１２の内側に及び／又はピン手段２６と向かい合って特定の小さな遊びをもってブッシング８は適当に受け入れられる。
【００４５】
図２には、正面部２’に解放可能部２７が示されている。衝撃方向に見られるように、この解放可能部２７は、空洞１６を超えて後方に延び、そして前記突出部及び従って前記シート１２を包含する。フラッシングヘッド３の分解に当たっては、空洞１６に制限なくアクセスできるようにするために解放可能部２７は単純に取り外される。
【００４６】
本発明の第二の実施形態は図３に示され、フラッシングヘッド３は、フラッシング媒体ホース１０の長手方向軸線Ａと一致してしかも衝撃方向Ｒに沿って突出する突出部２８を有し、前記突出部２８はシート軸線２１’をもつ円筒状の内部軸受面を備えたシート１２’を有し、シート軸線２１’は対称軸線１９と本質的に垂直であり交差する。外側円筒状の軸受面とピン軸線２０’とをもつピン手段２９は、同様に本質的に直角を成して対称軸線１９と交差し、軸アダプタ１５を包囲する正面部２’の前面部３０にネジ留めされているスリーブ付きボルトの形状で構成されている。
【００４７】
この場合もまた、ピン手段２９及び包囲するシート１２’は、衝撃方向Ｒに見られるように、フラッシング媒体ホースの長手方向軸線Ａを仮想的に延長した前方に位置決めされていて、長手方向軸線Ａに沿って前記張力Ｆは作用する。シート１２’の前記軸受面の中央部分及びピン手段２９上の前記軸受面の中央部分は、本質的に長手方向軸線Ａと一直線に配置され、これにより張力Ｆの作用線の延長がシート上と同様にピン手段にも本質的に中央で係合するようにしている。よって、前記張力Ｆは、前記したことに対応してフラッシングヘッド３の位置及び配列に影響することなく、前記共動する緊締手段及び緊締要素６によってマシンハウジングに受け止められることになる。例えばゴム素材の弾性ブッシング８’は、構成要素間の相対的な動きを可能にするために、前記したものに対応して配置される。
【００４８】
図４には、本発明の第三の実施形態を示し、フラッシングヘッド３に作用する張力Ｆは、少なくとも部分的に弾性素材から作られた弾性的に柔軟なリンク３１によって緩和される。リンク３１は、前記で説明したような同じ或いは対応した緩和作用を達成するために張力Ｆの作用線を延長した拡張部を有している。リンク３１は、一方では緊締要素３２によってフラッシングヘッド３に、もう一方では緊締手段３３によって正面部２’の前方領域３０に固定されている。この実施形態によれば、緊締要素‐緊締手段３２、３３は前記リンク３１を介して共動し、そして、ネジとして示されているが、その他の最適な固定手段の形態であってもよい。図４ａには、長方形のプレート形状の断面を有するリンク３１を断面図で示している。
【００４９】
さらに、その他の実施形態も可能であり、構成要素の一方に同様な仕方で固定される一方の手段は、プレート形状以外の形態の非剛体の中間手段を介して構成要素の他方に固定される要素に結合され、それで、フラッシングヘッドとマシンハウジングとの間で所望の相対的な可動性が可能であると同時に張力の緩和が得られるようにしてもよい。
【００５０】
図５には、図２に示したものに本質的に対応する実施形態が示されている。しかし、図５の実施形態では、張力Ｆの仮想的に延長された配列から一定の距離を置いて、フラッシングヘッド３内部を安定化させるための構成が補強されている、この場合もまたフラッシング媒体ホース１０の長手方向軸線Ａの延長に沿っている。この構成は、正面部２’に長方形の断面を有する凹部３７を備え、この凹部３７内に、断面円形のピン手段３８が係合し、ピン手段３８は、長方形の外形を有する部分をもつ弾性ブッシング３９で包囲されている。凹部３７及びブッシング３９の平面軸受面の間には小さい遊びが設けられ、前記軸受面は、軸アダプタの対称軸線１９に直角に伸びている。凹部の表面と軸アダプタ１９の対称軸線１９に平行にのびるブッシングとの間には、実際に動作中に、これらの表面が互いに接触しないよう大きな遊びが設けられている。
【００５１】
このような構成によって、例えば、軸アダプタが半径方向に動いている間に、張力Ｆを仮想的に延長した前記作用線から距離を置いてフラッシングヘッドの内側部分で軸アダプタの対称軸線１９に平行である動きを阻止するか或いは少なくとも制限することによって、フラッシングヘッドの軸方向の動きの安定化と同時にフラッシングヘッドの内側部分及び正面部２’が半径方向に相対的に動けるようにしている。
【００５２】
本発明は、特許請求の範囲の範囲内でさらなる変更が可能である。従って、共動する緊締手段及び緊締要素は他の仕方で構成することができる。図示されたピン手段は、１つの自由端を有しているが、フラッシングヘッドの一部分で或いは任意でマシンハウジングの一部分で両端を支持するピン手段を設けることも可能である。
【００５３】
様々な仕方でフラッシングヘッド３にフラッシング媒体ホースを接続することが可能である。図２から図５では、張力Ｆの作用線が本質的に対称軸線１９と平行である変形例が示されている。しかし、例えば接続ユニット７を通る軸線が対称軸線１９と角度を成すその他の実施形態も存在することができる。
【００５４】
さらに、そのような場合においても本発明は適用可能であるが、その際、真の張力と方向との間を整列させるために、力の分析を行うことが必要となり、前記共動する緊締手段及び緊締要素６は、このような張力を効果的に受け止め、過度の摩耗及びそれに伴う問題点を発生させるようになる力或いはモーメントがフラッシングヘッドに伝わるのを阻止するために、適用されるべきである。そのため、そのような実施形態は好ましいとは言えない。
【００５５】
前記力の方向で見られるように、前記共動する緊締手段及び／又は緊締要素のうちの一方の（或いは両方）の位置が調整可能であることを達成するために、調整手段を配置することが可能である。これは、例えばシートが前記力の方向に移動可能であることで実現することができる。図４のように、弾性リンク、プレート或いは類似のものの場合には、リンクの緊締点が変位されることにより調整可能であり、緊締孔などに様々な直径のインレイの位置決めが可能である。
【００５６】
本発明は、発破孔用穿孔機に限定されるものではなく、他の種類の削岩機にも適用可能である。
【符号の説明】
【００５７】
１    削岩機
２    マシンハウジング
２’  正面部
３    フラッシングヘッド
４    フラッシング密封装置
５    軸受ブッシング
６    共動する緊締手段及び緊締要素
７    接続ユニット
８    弾性ブッシング
８’  弾性ブッシング
９    ナット
１０    フラッシング媒体ホース
１２    シート
１２’  シート
１３    ブッシング
１５    軸アダプタ
１６    空洞
１７    衝撃ピストン
１９    対称軸線
２０    ピン軸線
２０’  ピン軸線
２１    シート軸線
２１’  シート軸線
２２    フラッシング媒体通路
２３    通路の部分
２４    フラッシング媒体室
２５    導入通路
２６    ピン手段
２７    解放可能部
２８    突出部
２９    ピン手段
３０    前方領域
３１    リンク
３２    緊締要素
３３    緊締手段
３７    凹部
３９    ブッシング
Ａ      長手方向軸線
Ｆ      張力方向
Ｒ      衝撃方向
【図１】
2015536251.tif 000003
【図２】
2015536251.tif 000004
【図３】
2015536251.tif 000005
【図４】
2015536251.tif 000006
【図４ａ】
2015536251.tif 000007
【図５−５ａ】
2015536251.tif 000008
【国際調査報告】
2015536251.tif 000009
2015536251.tif 000010
2015536251.tif 000011